(57)【要約】【課題】表面を正面視する場合を含めて、視認方向に応じて異なる絵柄を視認でき、正面視の場合に視認できる絵柄と斜視の場合に視認できる絵柄をそれぞれ独立に視認する。【解決手段】表面に照射された光を乱反射する梨地面が形成された第1の表面部分ａと、一方向への反射光が主に得られる表面が形成された第2の表面部分ｂと、他方向への反射光が主に得られる表面が形成された第３の表面部分ｃとを備え、第1の表面部分ａにおける凸部の頂点を第２及び第３の表面部分と同一面上に形成し、第１の表面部分ａと当該第１の表面部分以外の表面のコントラスト差によって、正面視による第１の視認絵柄が形成され、第２の表面部分ｂと第３の表面部分ｃのコントラスト差によって、斜視による第２の視認絵柄が形成される。【選択図】図２
2008302656.tif 000002
【特許請求の範囲】
【請求項１】
表面に照射された光を乱反射する梨地面が形成された第１の表面部分と、
前記第１の表面部分以外の表面に形成され、一方向への反射光が主に得られる表面が形成された第２の表面部分と、
前記第１及び第２の表面部分以外の表面に形成され、前記第２の表面部分における反射光の方向とは異なる他方向への反射光が主に得られる表面が形成された第３の表面部分とを少なくとも備え、
前記第１の表面部分における凸部の頂点を他の表面部分と同一面上に形成し、
前記第１の表面部分と当該第１の表面部分以外の表面のコントラスト差によって、正面視による第１の視認絵柄が形成され、
前記第２の表面部分と前記第３の表面部分のコントラスト差によって、斜視による第２の視認絵柄が形成されることを特徴とする化粧シート。
【請求項２】
前記第２の表面部分は一方向に方向性を有する凹凸面であり、前記第３の表面部分は他方向に方向性を有する凹凸面であることを特徴とする請求項１の化粧シート。
【発明の詳細な説明】
【技術分野】
【０００１】
本発明は、化粧シートに関するものであり、特には、車や家屋等の室内装飾、基材，機器，物品の表面装飾等に適した化粧シートに関するものである。
【背景技術】
【０００２】
化粧シートは、基材，機器，物品の外観的付加価値を高めるために広く使用されており、特に、乗用車の車内装飾ではインパネやシートの高級感を高める目的等で各種の化粧シートが用いられている。
【０００３】
この化粧シートとしては、凹凸面によるコントラストの違いによって絵柄を表すものが一般に知られているが、更に付加価値を高めるために、視認する方向によって異なる絵柄が視認できるものが提案されている。
【０００４】
下記特許文献１には、表面に形成された複数の平行線状凸部と複数の平行線状凹部と、複数の平行線状凸部のうちの所定の凸部の第１側に突出して形成された第１画素部と、複数の平行線状凸部のうちの所定の凸部の第１側に突出して形成された第２画素部とを備え、第１画素部が集まって第１画像を形成し、第２画素部が集まって第２画像を形成し、第１画素部の表面は線状凸部から第１側に向かって下がる第１角度傾斜面を有し、第２画素部の表面は線状凸部から第２側に向かって下がる第２角度傾斜面を有するエンボス版が記載されている。
【特許文献１】特開２００４−３１４３４４号公報
【発明の開示】
【発明が解決しようとする課題】
【０００５】
前述した従来技術を採用してエンボス加工した化粧シートを形成すると、第１側から斜視した場合には第１の絵柄を見ることができ、第２側から斜視した場合には第２の絵柄を見ることができる。しかしながら、表面を正面から見た場合には、第１の絵柄と第２の絵柄が合成された画像が見えることになり、化粧シートに適用した場合に、最も頻繁に視認される正面視で意図する絵柄を視認できないという問題がある。
【０００６】
これに対して、表面に照射される光を散乱する梨地面の表面と表面に照射される光を特定方向に反射する表面を形成して、その梨地面の表面部分と反射面の表面部分とのコントラスト差によって絵柄を形成することで、正面視の場合にも所定の絵柄を得ることが可能になる。
【０００７】
しかしながら、この梨地面の表面部分を単に前述した従来技術に適用して、正面視の場合も含めてユニークな複数の絵柄が得られるように構成することを考えた場合には、斜視の場合に梨地面の表面部分が暗く見えてしまい、斜視の場合に視認できる絵柄に正面視の場合に視認できる絵柄が合成された状態になり、やはり、意図する絵柄を視認できないという問題が生じる。
【０００８】
そして、前述したように合成された絵柄が視認される場合には、一つの絵柄から急に他の絵柄に変わる場合に得られる意外性が失われることになり、異なる絵柄を切り換えるという付加価値が十分に発揮できない問題が生じる。
【０００９】
本発明は、このような問題に対処することを課題とするものである。すなわち、表面を正面視する場合を含めて、視認方向に応じて異なる絵柄を視認できるようにすること、正面視の場合に視認できる絵柄と斜視の場合に視認できる絵柄がそれぞれ合成されること無く視認できること、一つの絵柄から視認方向を変えるだけで急に他の絵柄に切り変わるようにすることで、高い意外性が得られ、異なる絵柄を切り換えるという付加価値を十分に発揮できること、等が本発明の目的である。
【課題を解決するための手段】
【００１０】
このような目的を達成するために、本発明による化粧シートは、表面に照射された光を乱反射する梨地面が形成された第1の表面部分と、前記第1の表面部分以外の表面に形成され、一方向への反射光が主に得られる表面が形成された第2の表面部分と、前記第1及び第2の表面部分以外の表面に形成され、前記第2の表面部分における反射光の方向とは異なる他方向への反射光が主に得られる表面が形成された第３の表面部分とを少なくとも備え、前記第1の表面部分における凸部の頂点を他の表面部分と同一面上に形成し、前記第１の表面部分と当該第１の表面部分以外の表面のコントラスト差によって、正面視による第１の視認絵柄が形成され、前記第２の表面部分と前記第３の表面部分のコントラスト差によって、斜視による第２の視認絵柄が形成されることを特徴とする。
【発明の効果】
【００１１】
本発明によると、化粧シートを正面視した場合には、梨地面と非梨地面とのコントラスト差によって第１の表面部分に応じた第１の視認絵柄が形成される。正面視した場合には、第２の表面部分と第３の表面部分とは大きなコントラスト差を示さないので、第２の表面部分と第３の表面部分との境界線に応じた第２の視認絵柄は隠すことができる。
【００１２】
また、化粧シートを斜めから見た場合には、第２の表面部分と第３の表面部分との反射方向の違いによるコントラスト差によって、第２の表面部分と第３の表面部分との境界線に応じた第２の視認絵柄が形成される。この際、第1の表面部分における凸部の頂点を他の表面部分と同一面上に形成しているので、斜めから見た場合に、第１の表面部分の存在を第２の表面部分と第３の表面部分との反射方向の違いによるコントラスト差によって隠すことができる。
【００１３】
これによって、表面を正面視する場合を含めて、視認方向に応じて異なる絵柄を視認でき、正面視の場合に視認できる絵柄と斜視の場合に視認できる絵柄をそれぞれ独立に視認することができる。また、一つの絵柄から視認方向を変えるだけで急に他の絵柄に切り変わるようにできるので、高い意外性が得られ、異なる絵柄を切り換えるという付加価値を十分に発揮することができる。
【発明を実施するための最良の形態】
【００１４】
以下、本発明の実施形態を図面に基づいて説明する。図１及び図２は、本発明の実施形態に係る化粧シートの構造を説明する説明図である。図１は、第１の表面部分ａ，第２の表面部分ｂ，第３の表面部分ｃの境界を破線で示した平面図であって、図２は、その断面図である（同図（ａ）は、図１におけるＸ−Ｘ断面図、同図（ｂ）は、拡大断面図）。ここに破線で示された絵柄は一例であって、特にこの絵柄に限定されることはなく、どのような絵柄を形成することも可能である。
【００１５】
図示の例では、第１の表面部分ａは、表面に照射された光を乱反射する梨地面が形成された表面部分であり、第２の表面部分ｂは、一方向への反射光が主に得られる表面が形成された表面部分であり、第３の表面部分ｃは、他方向への反射光が主に得られる表面が形成された表面部分である。
【００１６】
第１の表面部分ａは梨地面であって、それ以外の表面の非梨地面が第２の表面部分ｂ及び第３の表面部分ｃになっている。第２の表面部分ｂと第３の表面部分ｃは、例えば、異なる方向性を有する凹凸面によって形成することができる。この場合には、凹凸面に形成される斜面（反射面）が第２の表面部分ｂと第３の表面部分ｃとで異なる方向に向くように形成されている（図２の例では、第２の表面部分ｂの直線的な凹凸方向に沿った断面が記載されている）。
【００１７】
そして、第１の表面部分ａとそれ以外の表面部分の境界によって第１の視認絵柄（ここでは「◎」の絵柄）が形成されており、第２の表面部分ｂと第３の表面部分ｃの境界によって第２の視認絵柄（ここでは「Ａ」の絵柄）が形成されている。
【００１８】
ここで重要な点は、図２（ｂ）に示すように、第1の表面部分ａにおける凸部の頂点が第２の表面部分ｂ及び第３の表面部分ｃと同一面上に形成されていることである。第２の表面部分ｂ及び第３の表面部分ｃを凹凸面とした場合には、第１の表面部分ａ，第２の表面部分ｂ，第３の表面分ｃの各頂点が同一平面上に形成されることになる。
【００１９】
このような実施形態に係る化粧シートを正面視した場合には、図３に示すように、第１の表面部分ａとそれ以外の表面部分の境界によって形成される第１の視認絵柄のみが形成されることになる。これは、正面から見た場合には、第２の表面部分ｂと第３の表面部分ｃとは、反射方向に違いがあってもコントラストの違いとしては現れないからであり、正面視した場合には、第２の視認絵柄はほぼ完全に隠れた状態になる。
【００２０】
一方、このような実施形態に係る化粧シートを斜視した場合には、図４に示すように、第２の表面部分ｂと第３の表面部分ｃの境界によって形成される第２の視認絵柄のみが形成されることになる。これは、斜めからみた場合には、反射方向の違いによって第２の表面部分ｂと第３の表面部分ｃでコントラストの違いが大きく現れて、第２の視認絵柄が浮き彫りにされることになるが、第1の表面部分ａにおける凸部の頂点を第２の表面部分ｂ及び第３の表面部分ｃと同一面上に形成することで、第１の表面部分ａと第２の表面部分ｂ、或いは第１の表面部分ａと第３の表面部分ｃとのコントラスト差は、前述した第２の表面部分ｂと第３の表面部分ｃとのコントラスト差に比べて無視できるほど小さくなるので、第１の視認絵柄はほぼ完全に隠れた状態になり、第２の視認絵柄のみが形成されることになる。
【００２１】
図示の例では、前述した非梨地面に第２の表面部分ｂと第３の表面部分ｃを形成しているが、これに加えて第４，第５の表面部分等を加えることができる。第４の表面部分を加える場合には、第２の表面部分と第３の表面部分と第４の表面部分とがそれぞれ異なる方向性を有する凹凸面にすることが有効である。その場合には、第２の表面部分と第３，第４の表面部分とのコントラスト差で一つの絵柄が視認でき、第３の表面部分と第２，第４の表面部分とのコントラスト差で一つの絵柄が視認でき、第４の表面部分と第２，第３の表面部分とのコントラスト差で一つの絵柄が視認できることになる。すなわち、異なる方向からの斜視で異なる絵柄が視認できることになる。
【００２２】
このような実施形態によると、前述した特徴を有することで、表面を正面視する場合を含めて、視認方向に応じて異なる絵柄を視認でき、正面視の場合に視認できる絵柄と斜視の場合に視認できる絵柄をそれぞれ独立に視認することができる。また、一つの絵柄から視認方向を変えるだけで急に他の絵柄に切り変わるようにできるので、高い意外性が得られ、異なる絵柄を切り換えるという付加価値を十分に発揮することができる。
【図面の簡単な説明】
【００２３】
【図１】本発明の実施形態に係る化粧シートの構造を説明する説明図。
【図２】本発明の実施形態に係る化粧シートの構造を説明する説明図（同図（ａ）は、図１におけるＸ−Ｘ断面図、同図（ｂ）は、拡大断面図）。
【図３】本発明の実施形態に係る化粧シートを正面視した場合の視認絵柄を示した説明図。
【図４】本発明の実施形態に係る化粧シートを斜視した場合の視認絵柄を示した説明図。
【符号の説明】
【００２４】
ａ    第１の表面部分
ｂ    第２の表面部分
ｃ    第３の表面部分
【図１】
2008302656.tif 000003
【図２】
2008302656.tif 000004
【図３】
2008302656.tif 000005
【図４】
2008302656.tif 000006